(57)【要約】【課題】  画像読取装置の操作パネルの誤操作を防止する。【解決手段】  スキャンモードとコピーモードのいずれかを選択する際には、コピー枚数を設定するためのタッチスイッチに対応するバックライトが消灯する。コピーモードが選択されたら、コピー枚数を設定するためのタッチスイッチに対応するバックライトが点灯する。コピーモードの読み取り動作の際には、動作の中止を指示するタッチスイッチに対応するバックライトが点灯し、且つ、コピー枚数を設定するためのタッチスイッチに対応するバックライトが消灯する。【選択図】  図５
2014060798.tif 000002
【特許請求の範囲】
【請求項１】
原稿を読み取る読取部と、
プリントを行う記録部と、
バックライトを備えた静電容量式の複数のタッチスイッチを有する操作パネルと、
を有し、前記読取部で原稿を読み取るスキャンモードと、前記読取部で原稿を読み取り且つ前記記録部でプリントして原稿のコピーを行うコピーモードを選択して実行することが可能な画像読取装置であって、
前記スキャンモードと前記コピーモードのいずれかを選択する際には、前記複数のタッチスイッチのうちコピー枚数を設定するためのタッチスイッチに対応するバックライトが消灯し、
前記コピーモードが選択されたら、前記コピー枚数を設定するためのタッチスイッチに対応するバックライトが点灯し、
前記コピーモードの読み取り動作の際には、前記複数のタッチスイッチのうち動作の中止を指示するタッチスイッチに対応するバックライトが点灯し、且つ、前記コピー枚数を設定するためのタッチスイッチに対応するバックライトが消灯する
ことを特徴とする画像読取装置。
【請求項２】
前記複数のタッチスイッチは操作を１つ前の状態に戻すための戻るキーを含み、前記戻るキーに対応するバックライトは、前記選択の際には消灯し、前記コピー枚数の設定の際には点灯し、前記コピープリントの読み取りの動作の際には消灯し、さらに前記動作の中止を指示するタッチスイッチに対応するバックライトは前記選択の際には消灯するように制御され、バックライトが消灯したタッチスイッチの入力は無効とされることを特徴とする、請求項１に記載の画像読取装置。
【請求項３】
前記コピーモードにおいてカラーコピーの実行を指示するカラーキーとモノクロコピーの実行を指示するモノクロキーを有し、前記選択の際および前記読み取り動作の際には前記カラーキーおよび前記モノクロキーは不可視となって指示ができなくなることを特徴とする、請求項２に記載の画像読取装置。
【請求項４】
前記操作パネルには前記複数のタッチスイッチのタッチ位置とは別の位置に表示部が設けられており、前記表示部は、前記選択の際には前記スキャンモードと前記コピーモードを選択するためのアイコンを表示し、前記コピー枚数の設定の際には前記コピー枚数の数値を表示し、前記読み取り動作の際には動作が実行中であることを示すメッセージを表示することを特徴とする、請求項１から３のいずれか１項に記載の画像読取装置。
【請求項５】
前記操作パネルはヒンジによって回動可能な部材に配置されていることを特徴とする、請求項４に記載の画像読取装置。
【請求項６】
前記操作パネルは、パネルカバーならびに前記複数のタッチスイッチそれぞれの位置に対応して透過図形部、静電容量を検知する電極および前記バックライトが設けられていることを特徴とする、請求項５に記載の画像読取装置。
【請求項７】
前記パネルカバーは半透過性のグレースモークの材質からなり、前記バックライトを消灯すると対応する前記透過図形部は前記パネルカバーの上からは不可視となることを特徴とする、請求項６に記載の画像読取装置。
【請求項８】
機械式接点のキー構造を持つ電源ボタンが前記パネルカバーに設けられていることを特徴とする、請求項７に記載の画像読取装置。
【発明の詳細な説明】
【技術分野】
【０００１】
本発明は、スキャナ、プリンタ、ファクシミリ、複写機、複合機などの画像読取部を有する画像読取装置に関する。
【背景技術】
【０００２】
特許文献１には画像読取部を備えた複合機が開示されている。この装置は、原稿読取面に置かれた原稿を読み取る読取部と、原稿読取面に対して開閉可能な原稿圧板とを備え、原稿圧板の上面に操作部（複数の入力キー）と表示部（ＬＣＤパネル）が設けられている。
【先行技術文献】
【特許文献】
【０００３】
【特許文献１】特開２００９−８８７５９号公報
【発明の概要】
【発明が解決しようとする課題】
【０００４】
特許文献１に開示の装置には、次のような改良すべき点がある。
（１）使用者が原稿圧板を開閉させる際には、原稿圧板の手前側に手を掛けて開閉する。その際、原稿圧板の上面に設けられている操作部に指先を触れやすく、意図せずに指先でキーが押して誤操作を引き起こす場合がある。
（２）操作部は複数のキーからなるので、操作に慣れない使用者は、どのキーを押せばいいのか瞬時には判らずに混乱する場合がある。
【０００５】
本発明は上記課題の認識に基づいてなされたものである。本発明の目的は上記課題の少なくとも１つの解決である。
【課題を解決するための手段】
【０００６】
本発明は、原稿を読み取る読取部と、プリントを行う記録部と、バックライトを備えた静電容量式の複数のタッチスイッチを有する操作パネルと、を有し、前記読取部で原稿を読み取るスキャンモードと、前記読取部で原稿を読み取り且つ前記記録部でプリントして原稿のコピーを行うコピーモードを少なくとも実行することが可能な画像読取装置であって、前記スキャンモードと前記コピーモードのいずれかを選択する際には、前記複数のタッチスイッチのうちコピー枚数を設定するためのタッチスイッチに対応するバックライトが消灯し、前記コピーモードが選択されたら、前記コピー枚数を設定するためのタッチスイッチに対応するバックライトが点灯し、前記コピーモードの読み取り動作の際には、前記複数のタッチスイッチのうち動作の中止を指示するタッチスイッチに対応するバックライトが点灯し、且つ、前記コピー枚数を設定するためのタッチスイッチに対応するバックライトが消灯することを特徴とする。
【発明の効果】
【０００７】
本発明によれば、複数のタッチスイッチは独立に点灯と消灯が可能なバックライトを備え、動作モードに応じて複数のタッチスイッチのバックライトの点灯と消灯の状態を変化させる。入力が有効なキーに対応したバックライトだけを発光させるようにすれば、操作に不慣れな使用者にも混乱を与えることはない。加えて、使用しないキーに対応したタッチスイッチのバックライトが消灯していればスイッチの存在感がなくなるので、操作パネルに手を掛けるのにも心理的な抵抗が少ない。また本発明によれば、設定を行う際には設定を行うためのタッチスイッチに対応するバックライトが点灯し、読み取り動作を行う際には、動作の中止を指示するタッチスイッチに対応するバックライトが点灯し且つ設定を行うためのタッチスイッチに対応するバックライトが消灯するので、設定と動作中に操作に不慣れな使用者にも混乱を与えることはない。
【図面の簡単な説明】
【０００８】
【図１】実施形態の装置の構成を示す斜視図
【図２】電源ＯＦＦ／ＯＮでの操作パネルの表示状態を示す図
【図３】パネル部の構造図
【図４】静電容量式スイッチの断面図
【図５】複数のモードそれぞれにおけるキーの表示状態を示す図
【発明を実施するための形態】
【０００９】
以下、本発明の実施形態を説明する。本明細書においては、スキャナ、プリンタ、ファクシミリ、複写機、複合機など、原稿を読み取るための画像読取部を有する装置を総称して「画像読取装置」というものとする。
【００１０】
図１は本発明の実施形態の画像読取装置の構成を示す斜視図である。図１（ａ）は画像読取部の原稿圧板を閉じた状態、図１（ｂ）は原稿圧板を開けた状態を示す。装置の筐体には原稿読取面に置かれた原稿を読み取る読取部（フラットベッドスキャナ）、シートにプリントを行なう記録部、および装置全体を制御する制御部５が内蔵されている。読取部、記録部それぞれについては上述の特許文献１などで周知なので、ここでは詳細な説明を省略する。制御部５はＣＰＵ、メモリ、各種Ｉ／Ｏインターフェースを備えたコントローラボードを有する。装置の上部には原稿読取面２に対して原稿圧板６が開閉可能に設けられている。設置された装置は、図中の矢印Ａの方向（正面側）から使用者によって操作される。
【００１１】
図１（ａ）において、原稿圧板６の上面にはパネル部１が配置されている。パネル部１には、表示ユニット４と各種の操作キー（入力スイッチ）が密集して設けられたパネルカバー１１が設けられている。さらに電源ボタン１１１もパネルカバー１１に設けられている。電源ボタン１１１を除く操作キーは静電容量式のタッチスイッチとなっている。静電容量式のタッチスイッチは、人の指をタッチ面に接触すると変化する静電容量を検知して入力となす方式のタッチスイッチである。その詳細構造と動作については後述する。
【００１２】
表示ユニット４には透明部材かなる表示窓４ａが設けられている。表示ユニット４は、収納時は図１（ａ）のようにパネルカバー１１の表面と一体の面を構成するように寝かせた状態である。表示ユニット４は、使用者の操作によって表示窓４ａが装置手前（矢印Ａ）に向けて立ち開くように回動可能である。つまり、表示ユニット４を寝かせた状態では表示窓４ａの表示は上方から見ることができ、表示ユニット４を立てた状態では表示窓４ａの表示は正面から見ることができる。電源ボタン１１１は、タクトスイッチなどの機械式接点のキー構造であり、電源ＯＦＦの状態で使用者が押圧すると装置ＯＮに、逆に電源ＯＮの状態で使用者が押圧すると装置ＯＦＦになる。
【００１３】
図１（ｂ）において、原稿圧板６は２箇所のヒンジ８でフレーム９の奥側（正面の反対側）に回動可能に取り付けられている。原稿読取面２は透明のガラス板からなり、この上に原稿面を下向きにして原稿が置かれる。ガラス板はカバーによりフレーム９に取り付けられている。原稿読取面２の上の原稿を押さえつけて浮きを抑えるため、原稿圧板６の内側面には圧着シート７が取り付けられている。ヒンジ８と原稿圧板６との係合は上下方向に遊びを持っており、厚みのあるブック原稿にも対応することができる。
【００１４】
制御部５は、読取部と記録部の動作制御とともに、表示ユニット４の表示制御、タッチスイッチのスイッチ入力および表示制御など、装置全体の各種制御を司る。後述するように、制御部５は複数の動作モードの制御を行ない、動作モードに応じてタッチスイッチのバックライト（背後からの照明）の点灯と消灯の状態を変化させる。
【００１５】
図２は、画像読取装置の上面図であり、原稿圧板６の上面、パネルカバー１１に設けられた操作パネルの表示状態を示す。図２（ａ）は電源ＯＦＦの状態であり、操作部の各種の操作キーは電源ボタン１１１、ジョグホイール１０１ｄを除いて使用者には見えなくなっている。図２（ｂ）は電源ＯＮですべての操作キーが点灯表示した状態である。点灯したキーは入力が有効状態となる。
【００１６】
この例では、操作キーは、ホームキー１０１ｂ、１つ前の状態に戻すための戻るキー１０１ｃ、モノクロコピーキー１０１ｈ、カラーコピーキー１０１ｉ、ストップキー１０１ｊなどである。モノクロコピーキー１０１ｈはモノクロコピー又はモノクロ画像スキャンの動作開始を指示するキーであり、カラーコピーキー１０１ｉはカラーコピー又はカラー画像スキャンの動作開始を指示するキーである。ストップキー１０１ｊはコピー動作またはスキャン動作の停止を支持するためのキーである。操作キーはさらに、表示ユニット４に表示される画面上の表示項目を選択するための３つのキーからなるファンクションキー１０１ａを有する。
【００１７】
操作キーはさらに、表示ユニット４に表示される画面上のカーソルを上下左右に移動させるための４つの矢印キー１０１ｆ、およびカーソル等を移動させるためのリング形状キーであるジョグホイール１０１ｄを有する。操作キーはさらに、選択を決定するためのＯＫキー１０１ｅ、コピー枚数などの数値を設定するための“＋”“−”キー１０１ｇを有する。これらの各操作キーは、各々が独立して点灯と消灯が可能なバックライトを備えた静電容量式のタッチスイッチとなっている。バックライトが点灯するとそのキー固有の図形（マーク）が表示されて使用者が視認することが可能となり、バックライトが消灯するとキーのマークは使用者には視認できなくなる。
【００１８】
図３はパネル部１の構成図であり、図３（ａ）は積層構造を示す分解斜視図、図３（ｂ）は上面図である。パネル部１は図３（ａ）に示すように、表面（上面）から順に、パネルカバー１１、弾性体シート１２、導光体群１３、弾性体シート１４、パネル基板１５を備えた５層の積層構造を有する。全体は弾性体シート１２と弾性体シート１４で密着して一体構造物となっている。すなわち、パネルカバー１１と導光体群１３の間には透光性のシート状の弾性体シート１２（第１弾性体シート）が介在して両者の間を密着させる。同様に、パネル基板１５と導光体群の間にはシート状の弾性体シート１４（第２弾性体シート）が介在して両者の間を密着させる。弾性体シート１４は透光性である必要はない。弾性体シート１２、１４はいずれも非導電性の絶縁体材料からなる。
【００１９】
パネルカバー１１は透光性（透明または半透明）で継ぎ目のない１枚の板状部材であり、プラスチック材料（例えば、アクリル、ＡＢＳ、ＰＣ、ＭＢＳ、ＳＢＣなど）またはガラス材料からなる。導光体群１３も透明のプラスチック材料またはガラス材料からなる。弾性体シート１２および弾性体シート１４はそれぞれ、複数の電極に対して共通の分割されていない１枚のシートである。細かく分割されていない１枚のシートなので操作パネルの組み立てが容易になる。
【００２０】
組み立ての際には、パネルカバー１１と導光体群１３とはシート状の弾性体シート１２によって隙間なく完全に密着することが求められる。なぜなら、完全に密着せずに誘電率が低い空気層が介在してしまうと、静電容量変化の検知が不安定となって静電容量式スイッチとしての機能が劣化するためである。さらに、メンテナンスにおけるパネルカバー１１の交換作業を考慮すると、いったん密着させた後にも、糊を残さずに剥がしやすいことが求められる。密着性の高さと剥がしやすさの２つの特性を両立させるために、弾性体シート１２は接着剤を使わずに粘着性が得られる自己粘着性の弾性体シートを用いる。このような弾性体シートとしては、例えばゲルシートが好適である。導光体群１３とパネル基板１５（複数の電極の表面）とを密着させる弾性体シート１４にも同様の特性が求められるので、弾性体シート１４にも自己粘着性をもつ弾性体シート、例えばゲルシートを用いる。なお、弾性体シート１２、弾性体シート１４の両方を両方ではなく一方のみをゲルシートとしてもよい。また、ゲルシートの替わりに、同様の自己粘着性と弾性を有する材質のシートを用いてもよい。また、剥がすときに破れ難い両面テープ、例えばポリエチレンテレフタラート（ＰＴＥ）を基材とする両面テープを用いてもよい。  
【００２１】
図３（ｂ）はパネル基板１５の上での導光体群１３の各導光体の配列を示す。同図に示すように、導光体群１３は、静電容量式スイッチのタッチ位置に対応した位置に複数の導光体１０３ａ〜１０３ｊが配列されている。
【００２２】
図４は静電容量式スイッチの断面図を示す。図４（ａ）は図２（ｂ）の‘＋’‘−’キー１０１ｇにおける断面図（Ａ−Ａ方向断面）である。パネルカバー１１の裏面側の面には黒インクの印刷によって遮光層１０１ｋが形成されている。遮光層１０１ｋには部分的に黒インク印刷されていない透過図形部１０１ｍが形成されている。透過図形部１０１ｍは上面から見ると意味のある図形となっており、この例では、図２（ｂ）のように、‘＋’‘−’の文字とそれぞれの周りを矩形の線で囲んだ図形となっている。パネルカバー１１は透光なので、透過図形部１０１ｍをバックライトで背後（下）から照明すれば図形を使用者に視認させることができる。バックライトを消灯すると図形は黒くなるので図形は視認されない。発明者らの実験によると、パネルカバー１１は、半透過性のグレースモークの材質とすると、バックライト消灯時に透過図形部１０１ｍが非常に視認し難く事実上不可視となり、図形表示ＯＮ／ＯＦＦのコントラストを高めることができる。パネルカバー１１は一枚の板体からなるので、バックライトが消灯されたら、電源ボタン１１１、ジョグホイール１０１ｄ、ＯＫキー１０１ｅを除いてスイッチは存在感がなくなり、使用者に混乱を与えることなく且つ美観上も好ましい。
【００２３】
パネル基板１５には、２箇所に半導体光源からなる光源１０６ｇが実装されている。半導体光源としてはＬＥＤやＯＬＥＤが用いられる。光源１０６ｇの光の射出方向はパネル面に対して水平な方向で且つ導光体１０３ｇに対して導光体１０３ｇの側面から光が入射される方向である。光源１０６ｇが点灯すると、導光体１０３ｇに矢印Ｃの方向を中心とする拡散光束が入射する。入射した拡散光束は導光体１０３ｇの中で反射を繰り返して伝播する。導光体１０３ｇの底面には白ペイントで拡散面１２０が形成されている。拡散面１２０に当たった光は拡散して一部は上方向（矢印Ｄの方向）に拡散する。この光は遮光層１０１ｋでは遮られるが、透過図形部１０１ｍでは外部に射出される。これにより、‘＋’‘−’が図形として使用者に視認される。このように、光源と導光体とでバックライトが構成されている。
【００２４】
パネル基板１５には、タッチ位置の直下、すなわち２箇所の光源１０６ｇの間で拡散面１２０に対応した位置に、‘＋’キー、‘−’キーの個別検知のため２つの電極１０５ｇが実装されている。さらに、パネル基板１５には各電極に電気接続された信号処理回路（プロセッサを含む）が実装されている。信号処理回路は、電極で検出した静電容量変化をデジタルデータに変換し信号処理によってスイッチＯＮ／ＯＦＦを判定する。パネルカバー１１にタッチした使用者の指先と電極１０５ｇとの間は一種のコンデンサとなって、指先をタッチすると静電容量が変化する。信号処理回路は、電極１０５ｇによって静電容量の変化を検知することでタッチを検知する。タッチスイッチの入力を有効にした場合には、電極による検知される静電容量が所定の閾値を越えたら入力がされたと判断する。一方、タッチスイッチの入力を無効にした場合には、電極による静電容量の検出を無視するまたは上記所定の閾値を高くする。
【００２５】
図４（ｂ）は、図２（ｂ）の矢印キー１０１ｆ、ジョグホイール１０１ｄ、ＯＫキー１０１ｅにおける断面図（Ｂ−Ｂ方向断面）である。パネルカバー１１の表面には、ＯＫキー１０１ｅに対応した位置は凹形状の窪みが形成されている。同様に、リング形状のジョグホイール１０１ｄも凹形状の窪み（溝）がリング状に形成されている。その他のキーに対応する位置には窪みは形成されていない。使用頻度の高いキーについて窪みを設けることで、使用者に触覚感および視覚感を与えて確実な操作に行わせることができる。とくにジョグホール１０１ｄについては、リング形状の窪みが指の動きを物理的にガイドするので、使用者は正確な位置に沿って滑らかに指を滑らせることでき、良好な操作性が得られる。
【００２６】
ＯＫキー１０１ｅの下には導光体１０３ｅが配置され、４つの矢印キー１０１ｆの下には４つの導光体１０３ｆが配置されている。ジョグホイール１０１ｄの下には環状の導光体１０３ｄが配置されている。それぞれの導光体の下にはパネル基板１５上に電極１０５ｅ、１０５ｆ、電極１０５ｄが設けられている。パネル基板１５には電極の近傍に貫通孔１０５ｔが形成されており、弾性体シート１４で広い面積を密着させる際には貫通孔１０５ｔから空気が逃げて、弾性体シート１４と電極表面との間に空気層ができにくい。このように、弾性体シート１４に密着性の高いゲルシートを採用するとともに、パネル基板１５に貫通孔を設けたことの相乗効果で操作パネル組み立ての際に空気層が入り込みにくくなっている。
【００２７】
ここで、ＯＫキー１０１ｅおよびジョグホイール１０１ｄは、凹形状の窪み分だけ、パネルカバー１１の表面（タッチ面）から対応する電極までの距離が矢印キー１０１ｆに比べて短くなっている。距離が短いほうが使用者がタッチした際の静電容量変化が大きくなるので、検知感度が高くなる。もし、使用者が隣り合うキー同士のちょうど境界をタッチした場合には、検知感度の高いＯＫキー１０１ｅまたはジョグホイール１０１ｄの方が感応する確率が高い。スイッチとしての使用頻度を考えると、ＯＫキー１０１ｅとジョグホイール１０１ｄは、矢印キー１０１ｆより使用頻度が多いので、使用頻度の高いキーの感応が優先される設計は合理的である。つまり、複数のタッチスイッチは互いに隣接し検知感度が異なる第１スイッチ（ＯＫキー１０１ｅ、ジョグホイール１０１ｄ）と第２スイッチ（矢印キー１０１ｆ）を含み、使用頻度がより高い第１スイッチのほうが第２スイッチよりも検知感度が高い。
【００２８】
ＯＫキー１０１ｅとジョグホイール１０１ｄは、パネルカバー１１の表面の窪みによって電極までの距離が変化することが、静電容量の検知感度の差を生じさせている。つまり、各キーにおいて窪みは指をガイドするガイド機能と検知感度を調整する機能の２つを同時に満たすものであり、簡素な構成で高い操作性と信頼性を実現している。とくにジョグホール１０１ｄについては、リング状に指を動かすので指の位置がずれやすいが、リング形状の窪みが指の動きを物理的にガイドするので、指がリングから外れて隣り合う矢印キー１０１ｆに触れてしまう可能性をより低くしている。それでも指がずれたとしても、検知感度に差を設けてジョグホール１０１ｄの方が優先されるようになっている。つまり、物理的なガイドと検知感度差による優先順位という２つの手法の組み合わせにより、非常に高い操作性ならびに信頼性を実現するものである。
【００２９】
図５を用いて、複数のモードそれぞれにおけるキーの表示状態を説明する説明する。図５（ａ）は、使用者が電源ボタン１１１を押して装置を起動させた直後の表示ユニット４とパネルカバー１１の表示状態である。表示ユニット４は、このとき選択できる機能である「Ｓｃａｎ」、「Ｃｏｐｙ」、「設定」と書かれた３つの機能アイコンが表示される。「Ｓｃａｎ」はスキャンモード、「Ｃｏｐｙ」はコピーモードを意味する。パネルカバー１１は、ホームキー１０１ｂ、左右の矢印キー１０１ｆ、ＯＫキー１０１ｅの３種類のキーのみが表示される。この状態で、使用者が左右の矢印キー１０１ｆのいずれかにタッチすると、表示ユニット４のカーソル４ｄが左右に移動して選択機能を切り替わる。
【００３０】
例えば、コピーモードを選びたいときは、カーソル４ｄをＣｏｐｙアイコンの下に移動させ、ＯＫキー１０１ｆをタッチする。すると、コピーモードに移行して、図５（ｂ）のような表示に切り替わる。表示ユニット４にはコピーモードでの各種設定のメニューが表示され、パネルカバー１１はコピーモードで使用するキーのみが表示される。使用者は、上下２つの矢印キー１０１ｆのいずれかにタッチして紙種４ｅを設定する。左右２つの矢印キー１０１ｆのいずれかにタッチしてコピー濃度４ｆを設定する。‘＋’キー、‘−’キーのいずれかにタッチしてコピー枚数４ｇを設定する。プレビュー４ｈ、各種コピー４ｉ、詳細設定４ｊの各機能の選択は、それぞれの下部にある３つのファンクションキー１０１ａのいずれかにタッチして行なう。ホームキー１０１ｂまたは戻るキー１０１ｃにタッチすると、コピーモードを抜けて、図５（ａ）の初期表示に戻る。
【００３１】
図５（ｂ）のように、コピーモードでは使用しないキーは、バックライトが消灯して不可視にされる。不可視にされたキーはもし使用者がタッチしても反応しないように入力が無効とされる。なお、スキャンモードを選択した場合も同様に、スキャンモードでは使用しないキーは、バックライトが消灯して不可視にされ、且つ不可視にされたキーは入力が無効とされる。コピーモードやスキャンモードでは原稿読取面２に原稿を置いてセットするので、使用者は原稿圧板６の端部を掴んで開閉する。その際にパネルカバー１１に指が触れて誤動作を引き起こす可能性を小さくすることができる。
【００３２】
設定が済んだら、使用者はモノクロコピーキー１０１ｈ、またはカラーコピーキー１０１ｉのいずれかにタッチする。モノクロコピー（スキャンモードであればモノクロ画像スキャン）とカラーコピー（スキャンモードであればカラー画像スキャン）のいずれかの実行が開始される。原稿読取面２に置かれた原稿が読取部のスキャナで読み取られる。コピーモードであれば更に読み取りで取得された画像データに基づいて記録部でシートにプリントが行なわれる。このとき、表示ユニット４とパネルカバー１１表示状態は、図５（ｃ）のように切り替わる。読取実行中に操作が可能なのは、コピーまたはスキャンの中断を指示するためのＳｔｏｐキー１０１ｊと電源ボタン１１１のみである。表示ユニット４には「コピー中」（スキャンモードであれば「読取中」）と表示され、パネルカバー１１はＳｔｏｐキー１０１ｊと電源ボタン１１１を除いて不可視となる。不可視となったキーはタッチしても反応しない。厚いブック原稿を原稿読取面２に載せた場合には、原稿面を原稿読取面２に密着させるため、使用者が原稿圧板６の操作パネルの上を両手で押さえ付ける場合がある。その際に、パネルカバー１１のスイッチに手が触れたとしても、Ｓｔｏｐキー１０１ｊと電源ボタン１１１以外であればスイッチは感応しないので、不用意な入力は防止される。加えて、使用者が原稿圧板で原稿を押さえ付ける際にはほとんどのバックライトが消灯するのでスイッチの存在感がなくなり、使用者が操作パネルを押さえ付ける心理的な抵抗が少なくなる利点もある。
【００３３】
制御部５の制御により、図５（ａ）または図５（ｂ）の状態で一定時間操作しない状態で放置しておくと自動的に省電力のスリープモードに移行する。スリープモードでは、表示ユニット４ならびにパネルカバー１１の操作キーはすべてバックライトを消灯して、図２（ａ）のような状態となる。スリープモードではバックライトを消灯するが、すべての操作キーの入力は有効となっている、使用者が任意の操作キーの部分に触れると、これを検知してスリープモードから通常モードに復帰する。このように、通常モードよりも電力消費が小さいスリープモードを有し、通常モードでは入力が有効なタッチスイッチに対応したバックライトを点灯し且つ入力が無効なタッチスイッチに対応したバックライトを消灯する。スリープモードでは複数すべてのバックライトを消灯して且つタッチスイッチの入力は有効にする。
【００３４】
以上説明したように本実施例の装置によれば、原稿圧板の上面に静電容量式のタッチスイッチを有する操作パネルが設けられている。タッチスイッチには静電容量と感圧式があるが、静電容量式は感圧式よりもスイッチ面を強固にすることができる。使用者が画像読取装置の原稿圧板に手を置いて原稿を押さえ付ける際にスイッチ面を押したとしても、より大きな押さえ力に耐えることができる。また、画像入力装置の原稿圧板の上面はもっとも物が触れ易い露出面であり、使用者が不用意に異物をぶつけたり飲料液などをこぼす可能性が大きい。静電容量式のスイッチ面は感圧式よりも、そのような局所的な衝撃や液体付着に対しても耐性が高い。
【００３５】
また、本実施例の装置によれば、複数のタッチスイッチは独立に点灯と消灯が可能なバックライトを備え、動作モードに応じて複数のタッチスイッチのバックライトの点灯と消灯の状態を変化させる。入力が有効なキーに対応したバックライトだけを発光させるようにすれば、操作に不慣れな使用者にも混乱を与えることはない。加えて、使用者が原稿圧板で原稿を押さえ付ける際に使用しないキーに対応したタッチスイッチのバックライトが消灯していればスイッチの存在感がなくなるので、操作パネルに手を掛けるのにも心理的な抵抗が少ない。
【００３６】
また、スリープモードではすべてのキーに対応したタッチスイッチのバックライトを消灯させ且つ入力は有効となるようにして、使用者はパネルの任意の場所を押すだけでスリープモードからの容易に復帰させることができる。
【００３７】
また、第１スイッチの位置に対応して設けたパネルカバー表面の窪みによって指をガイドし且つ第２スイッチとの検知感度差を生み出し、簡素な構成で高い操作性と信頼性を実現している。とくにジョグホールにリング状の窪みを設けたことの効果は大きい。
【符号の説明】
【００３８】
１  パネル部
２  原稿読取面
３  記録部
４  表示ユニット
５  制御部
６  原稿圧板
１１  パネルカバー
１２  弾性体シート（ゲルシート）
１３  導光体群
１４  弾性体シート（ゲルシート）
１５  パネル基板
【図１】
2014060798.tif 000003
【図２】
2014060798.tif 000004
【図３】
2014060798.tif 000005
【図４】
2014060798.tif 000006
【図５】
2014060798.tif 000007